(57)【要約】      （修正有）【課題】洗顔や入浴時に用いる石鹸の泡立て具であり、内部に固形石鹸を入れて、湯又は水を含ませてこすることで泡立てのよい泡だて具を提供する。【解決手段】通液性のある合成繊維、天然繊維からなる織布または不織布で逆台形状の袋を形成し、この袋の開口部分に、１本または２本の引き紐を外部には露出することなく通し、袋内部に固形石鹸を収容するとともに、引き紐を左右に引いて袋の開口部を閉じかつ紐の全長を左右の手で紐端部を握った状態で背中をこすることのできる長さとした。【選択図】図１
0003174162.tif 000002
【実用新案登録請求の範囲】
【請求項１】
通液性のある合成繊維、天然繊維からなる職布または不職布で逆台形状の袋を形成し、この袋の開口部分に、１本または２本の引き紐を外部には露出することなく通し、袋内部に固形石鹸を収容するとともに、引き紐を左右に引いて袋の開口部を閉じかつ紐の全長を左右の手で紐端部を握った状態で背中をこすることのできる長さとした石鹸用泡立て具。
【請求項２】
逆台形状の織布からなる袋の紐通し部分より上部に約６ｃｍの折り返し部分を形成し、袋の開口部を閉じた時に多くのギャザーを作り出す請求項１記載の石鹸用泡立て具。
【請求項３】
袋の開口部の縁部分にフリル布を縫いつけ、紐をひいて開口部を閉じることにより、フリル部分が増えるようにした請求項１記載の石鹸用泡立て具。
【考案の詳細な説明】
【技術分野】
【０００１】
この考案は、洗顔や入浴時に用いる石けんの泡立て具である。
【背景技術】
【０００２】
これまでは、通液性のあるスポンジ、ネットあるいはタオルに石鹸を含ませるか、または石鹸にこすりつけてもむことで泡立てていた。しかしタオルなどの素材によっては含むことのできる石鹸量が少ないため、発生した泡が消えやすく、泡を確保するためには石鹸を何度も含ませたり、こすりつけたりして、泡立てる必要性があり、泡を適量維持するには手間がかかっていた。
【０００３】
このほか、内外二重の布地を重ねて袋状とし、袋の一部に手で持つための短い棒を取り付け、袋の一部に石鹸を袋内に入れる口を設け、石鹸を入れた後は口を紐で縛り、袋をこすって石鹸を泡立てものもある。この袋状の泡立て具は洗顔には細かな泡を有効に利用できるが、一度にできる泡の量が制限されて多量ではないことから、身体、特に背中を洗う際には背中中央部の窪んだ背骨部分まで泡を十分に供給する
ことができなかった。
【先行技術文献】
【特許文献】
【０００４】
【特許文献１】特開２００２−３０６３６１号公報
【考案の概要】
【考案が解決しようとする課題】
【０００５】
この考案は、上で述べた泡立て具では体の背中の中央部分まで泡を供給できないという課題を解決し、石鹸を袋の内部に収容することで、手が届く体の前面部分はもちろんのこと、背中の中央部分にも容易に泡を供給できて、体のあらゆる部分を石鹸の泡で洗うことができる泡立てだて具を提供することを目的としたものである。
【課題を解決するための手段】
【０００６】
この考案は、通液性のある合成繊維、絹などの織物を用いて逆台形状の袋を形成し、この袋の中に固形石鹸を入れ、袋の開口部分に外部には露出することなく通した１本または２本の紐を左右に引いて袋の開口部を閉じるとともに、紐の全長を、左右の手で紐端部を握った状態で背中をこすることのできる長さ、例えば約６０ｃｍにしたものである。
【考案の効果】
【０００７】
この考案は、袋を開いた状態から紐を引っ張って閉じた状態にすることにより袋の表面にギャザーができるので、従来の泡立て具よりもさらに多くの泡立てが可能になり、石鹸の供給が持続でき肌を傷めることなく洗浄することができる。絹等の素材によっては  セシリン等の成分によって保湿・美白効果を高めることもできる。袋の紐を左右に持ち、体の背部にまわして動かすことで背中等の手が届きにくい中央部分を泡で洗浄することも可能になる。さらに、この泡立て具の使用後は、袋内に石鹸を入れたまま紐をフック等に掛けて袋を乾燥させることができるので、石鹸の無駄な溶解を防いで石鹸を効率よく使用することができる。また、紐を緩めて袋を開くと、袋は平らな状態になり、これまでの泡立てネットとは異なって、嵩張らず、携帯にも便利である。
【図面の簡単な説明】
【０００８】
【図１】本考案の泡立て具の巾着型袋を示す図
【図２】同巾着袋の内部に固形石鹸を入れて口紐を絞る途中過程の説明図
【図３】同巾着型袋の口紐を絞り終えた説明図
【図４】同巾着袋を口紐の上下動で背中を洗う例を示す図
【図５】同巾着型袋の内部に固形石鹸を入れ両手で袋をこすり泡立てる際の説明図
【図６】泡立てた泡を袋のギャザー部分に手で集める図
【図７】巾着袋の開口部に別に用意したフリルを取り付けた本考案の別な例の泡立て具を示す図
【図８】フリル部分の展開図
【考案を実施するための形態】
【０００９】
以下、この考案の詳細を実施例で詳しく説明する。    
【実施例１】
【００１０】
本考案を実施するための形態を図１から６に示した。 図１は、逆台形で上辺を１、２で２４ｃｍとし、下辺を３，４で１２ｃｍ、斜辺を１、４と２、３とし、それぞれ上辺に対し、およそ５０度ほどの斜辺とした逆台形状の布を用いた巾着型の袋である。上辺に連なって開口部を作り、上辺１、２より並行して２ｃｍほど上に紐通し部５、６をとる。
【００１１】
また、紐通し部５，６に連なって６ｃｍほど上のところに、泡立て部７、８、６，５をとる。袋の９・１０部は、耐久性をよくし、空気を含みやすく泡立ちを良くするために、２枚重ねとする。布は、底辺と平行に縦、横の繊維をとるとさらに丈夫である。
【００１２】
下底３、４では、布を輪にして裁断し、肌触りを良くするために縫い目が出ないようにする。逆台形の辺１，４と２、３を、それぞれに縫い、袋状にする。開口部１０の辺７、５と６、８は縫って輪状にしても、しなくても良い。
【００１３】
紐通し部１１には、紐を左右に貫通させる。図１に示した通り、紐は１本で、ギャザーを紐の中ほどによせて、袋が紐の中ほどに来るようにして使用する。紐を２本用いる場合は、図２に示した通り、１本の紐１２を右から左に通し、左で折り返して右で結ぶ。もう１本の紐１３は、左から右に通し、それぞれの紐を互いに対抗するそれぞれの取り出し口から取り出して結ぶ。紐を左右に引くと、紐通し部１１が閉じられ、それと同時に袋は中央に位置し、図３ に示 したとおり、多数のギャザーを形成する。紐の長さは、図４にある通り、左右に引き、背中を洗うことのできる状態で全長を６０ｃｍ〜７０ｃｍとし、水に濡れても耐久性のある平織りの紐を用いる。持ち手として、紐の端に輪を作り、その輪にそれぞれ持ち手、図２で示した１４、１５を通し、１６，１７の玉に結び目を入れて固定すると、４指を入れやすく持ちやすい。また、袋の紐通し穴１８，１９には、ビーズなどの玉２０，２１で力止めをすると紐通し穴１８，１９の耐久性が向上する。
【００１４】
使用する時は、袋の中に石けんを入れ、図５に示した通り開口部分を下にし、上下を手ではさみ、中の石けんを袋にこすりつけた後、もむことによって、多くの泡を形成する。図６に示したとおり、開口部を上にして両手に挟み、泡をギャザー上部に集めるように絞り上げ、洗顔などに用いる。身体の後部を洗浄するには、左右に紐を持ち、図４に示したように、後部に回し紐を引き、石鹸を収納したままギャザー部分を身体にこすりつけるようにして洗うことができるので、泡の維持が可能となり、洗浄効果を高めることができる。
【００１５】
固形の浴用石鹸８０ｇの場合、その寸法は縦５ｃｍ、横８ｃｍ、厚み２ｃｍあり、巾着袋はこの固形石鹸を内部に納めるのに十分な大きさであるので、袋と石鹸との間に空気を含ませるのに十分なゆとりがある。
【００１６】
開口部にギャザーを作ることで空気を含み、小さな気泡を作りやすくなる。その材料は織布のほか不織布でもよいが、袋としての使用強度を考えると縦糸、横糸の繊維をもった織布が好ましい。
【００１７】
使用後は、石鹸を袋に入れて紐を吊り下げることで収納場所をとらず、石鹸の溶解
を防ぎ、無駄なく使用できる。
【実施例２】
【００１８】
羽二重などの肌触りの良い薄手の絹で作る時は、巾着袋を２枚重ねにして作ると、強度を保つと同時に泡立てる際に空気を多く含み、きめ細かな泡ができ洗浄効果を高める。さらに、泡立てをよくするために、図７に示したとおり、袋の開口部に別布を用いて作ったフリルを縫いつける。開口部１１を閉じると同時にフリルの輪ができ、石けん溶液に空気が含まれる易くなる。
【００１９】
このフリルは、図８に示したとおり辺２２，２３間の長さが２０ｃｍ、辺２３，２４間の布幅が７ｃｍの絹布を用意する。これを布幅が４ｃｍと３ｃｍとなるライン２６，２７に沿って２２，２３の長さが約１０ｃｍになるように縫い縮めて形成する。このフリルをもう１枚用意してこれらを巾着袋の開口部に４ｃｍ部分２８が外側に、３ｃｍ部分２９が内側にそれぞれ位置するように縫い止めした。なお上記のフリルを構成する絹布は２枚重ねにすると良く、フリルの量を増やすだけでなく、肌に当たる感触が柔らかくできて好ましい。
【００２０】
さらに、巾着袋およびフリルを構成する絹が、袋を絞ることで身体に接する部分が多くなり、絹の成分の一部であるセシリン、ロイシン、バリン等の必須アミノ酸が肌の保湿を保ち、乾燥による痒みなどのトラブルを防ぐことができるなどの効果も期待できる。
【産業上の利用可能性】
【００２１】
以上説明した通り、本考案では巾着袋をその外形形状を逆台形とすることで、固形石鹸を袋内部に入れ易く、口紐を絞って袋を閉じれば、その状態で袋内部の固形石鹸に袋が含んだ湯や水、あるいは石鹸が浸るように与えた湯や水で容易に石鹸を泡立て、袋表面に泡を発生させることができ、この泡立て具を手で握って体を軽くこするか、あるいは紐の左右両端部を左右の手で握って背中をこするように紐を動かせば、手の届きにくい背中部分も簡単に洗浄でき、極めて使い易い泡立て具を提供できる。
【符号の説明】
【００２２】
１，２，３，４、７，８    裁断図の頂点  
５，６                    開口部  紐通し部分の縫い線
９                        巾着型袋石鹸収納部
１０                      泡立て部
１１                      紐通し部
１２，１３                通し紐
１４，１５                持ち手
１６、１７                紐通し玉
１８，１９                紐通し穴
２０、２１                力止め玉
２２，２３，２４、２５    フリル布裁断図の頂点
２６、２７                フリル縫い縮め線  
２８                      フリル開口部外面
２９                      フリル開口部内面
【図１】
0003174162.tif 000003
【図２】
0003174162.tif 000004
【図３】
0003174162.tif 000005
【図４】
0003174162.tif 000006
【図５】
0003174162.tif 000007
【図６】
0003174162.tif 000008
【図７】
0003174162.tif 000009
【図８】
0003174162.tif 000010